(57)【要約】  【課題】  特定の方向の応力が外部から加わってもセパレータが破膜せず、正極負極間での短絡が生じることのない安全性に優れた積層型二次電池を提供する。  【解決手段】  正極電極シートと負極電極シートと２枚のセパレータの周縁部を接合した袋状セパレータ１９を備える積層型二次電池であって、セパレータのマシンダイレクションに対する他方のセパレータのマシンダイレクションの交差角度が４５度以上、１３５度以下である袋状セパレータ１９を少なくとも一つ備え、袋状セパレータ１９の内部には正極電極シートまたは負極電極シートのいずれかを配設するとともに、正極電極シートと負極電極シートを交互に積層する。【選択図】図１
2011134525.tif 000002
【特許請求の範囲】
【請求項１】
正極電極シートと負極電極シートを、セパレータを介して積層する積層型二次電池であって、少なくとも１組の隣接する前記セパレータは、一方の前記セパレータの前記マシンダイレクションに対する他方の前記セパレータの前記マシンダイレクションの交差角度が４５度以上、１３５度以下であることを特徴とする積層型二次電池。
【請求項２】
隣接する前記セパレータの前記交差角度がそれぞれ異なることを特徴とする請求項１に記載の積層型二次電池。
【請求項３】
隣接する前記セパレータの前記交差角度が９０度であることを特徴とする請求項１に記載の積層型二次電池。
【請求項４】
正極電極シートと負極電極シートを、２枚のセパレータを介して積層する積層型二次電池であって、少なくとも１組の前記２枚の前記セパレータは、一方の前記セパレータの前記マシンダイレクションに対する他方の前記セパレータの前記マシンダイレクションの交差角度が４５度以上、１３５度以下であることを特徴とする積層型二次電池。
【請求項５】
前記２枚の前記セパレータを複数備え、前記２枚の前記セパレータの前記交差角度がそれぞれ異なることを特徴とする請求項４に記載の積層型二次電池。
【請求項６】
前記２枚の前記セパレータの前記交差角度が９０度であることを特徴とする請求項４に記載の積層型二次電池。
【請求項７】
正極電極シートと負極電極シートと２枚のセパレータの周縁部を接合した袋状セパレータを備える積層型二次電池であって、前記２枚の前記セパレータは、一方の前記セパレータの前記マシンダイレクションに対する他方の前記セパレータの前記マシンダイレクションの交差角度が４５度以上、１３５度以下である前記袋状セパレータを少なくとも一つ備え、前記袋状セパレータの内部には前記正極電極シートまたは前記負極電極シートのいずれかを配設するとともに、前記正極電極シートと前記負極電極シートを交互に積層することを特徴とする積層型二次電池。
【請求項８】
前記交差角度が０度で接合された前記袋状セパレータと、前記交差角度が４５度以上、１３５度以下で接合された前記袋状セパレータを、交互に積層することを特徴とする請求項７に記載の積層型二次電池。
【請求項９】
前記袋状セパレータを複数備え、前記交差角度が４５度以上、１３５度以下であり、それぞれの前記袋状セパレータの一方の前記セパレータは、前記マシンダイレクションが同じであることを特徴とする請求項７に記載の積層型二次電池。
【請求項１０】
前記袋状セパレータを複数備え、前記袋状セパレータは、前記交差角度が４５度以上、１３５度以下で接合されていて、前記交差角度がそれぞれ異なることを特徴とする請求項７に記載の積層型二次電池。
【発明の詳細な説明】
【技術分野】
【０００１】
本発明は、積層型二次電池に関するものである。
【背景技術】
【０００２】
近年、携帯電話やノートパソコンに代表される携帯端末に使用される電池は軽量かつ高容量のものが必要とされる例が増大しており、比較的形状の自由度が高いラミネートフィルムを用いて電極や電解質等の電池要素を密閉した積層型二次電池が採用されるようになってきた。また、積層型二次電池は２個以上を積層させて複数のセルを直列接続した電池パックや電池モジュールの構造をとりやすく、それらが電動アシスト自転車や電動工具、電気自動車のように大電流が必要となる機器に使用される例が増大している。
【０００３】
図５は、積層型二次電池を示す図であり、図５（ａ）は構成を示す斜視図、図５（ｂ）は積層体の内訳を示す斜視図である。
【０００４】
正極電極シート１３にはアルミリード１６が接続されており、負極電極シート１４にはニッケルリード１７が接続されている。セパレータ１５は、フィルム樹脂の引き取り方向（Ｍａｃｈｉｎｅ  Ｄｉｒｅｃｔｉｏｎ：マシンダイレクション、以下ＭＤと略す）を揃えた２枚が対向して袋状に加工されており、その中に正極電極シート１３が収納されている。
【０００５】
積層型二次電池は、正極電極シート１３を収納した袋状のセパレータ１５と負極電極シート１４を交互に積層した積層体１８をアルミラミネートフィルム１１に収納し、電解液１２を注液後に密封している。
【０００６】
正極電極シートと負極電極シートを電気的に隔離するセパレータは、ポリエチレン、ポリプロピレン等の合成樹脂製の微多孔性フィルムを用いるのが一般的である。それらのセパレータは、製造時におけるフィルム樹脂の引き取り方向であるＭＤと直交するフィルム樹脂の幅方向（Ｔｒａｎｓｖｅｒｓｅ  Ｄｉｒｅｃｔｉｏｎ：トランスバースダイレクション、以下ＴＤと略す）に方向性を有し、ＴＤの破断強度がＭＤの破断強度よりも小さい値となるものが、熱収縮の点からより好ましく用いられている。
【０００７】
特許文献１には、正極電極と負極電極とをセパレータを介して対向して積層した積層型二次電池において、正極電極または負極電極の少なくともいずれか一方は、両面がセパレータで覆われるとともにセパレータは正極電極または負極電極の周囲に間隔を設けて融着した融着接合部によって接合されており、融着接合部の内周部、外周部、もしくは隣接する融着接合部の間には連続的に融着した融着封止部が設けられて正極電極または負極電極を収容した内部とセパレータ外部とが封止された積層型二次電池が記載されている。
【０００８】
このセパレータは、袋状に加工し、導電接続用のタブを引き出した正極電極シート（あるいは負極電極シート）を挿入する工法で製作されている。
【０００９】
図４は、従来の袋状セパレータを示す図であり、図４（ａ）は袋状セパレータ製作方法を示す概念図、図４（ｂ）は製作した袋状セパレータのダイレクションを示す模式図である。
【００１０】
この袋状セパレータの加工は、図４（ａ）に示すように、リール状に巻き取られた２本のセパレータロール２１で電極シート２２を収納し、ＭＤをそろえて重ね合わせ熱融着する方法が用いられる。
【００１１】
特許文献２には、リードピンを有するフィルム状電極と積層捲回されて用いられるフィルム状の電池用セパレータであって、前記リードピンと接触する部分に補強層が形成されている電池用セパレータが記載されている。
【００１２】
セパレータが破膜する対策として、セパレータ自体の破断強度を高める方法があり、その一例として特許文献２では、２枚のセパレータを貼りあわせて１枚のセパレータにして強度を増す方法が公開されている。とくにＭＤを８０〜１００度で交差させて積層接着し１枚のセパレータする方法が良いとされている。
【先行技術文献】
【特許文献】
【００１３】
【特許文献１】特許第３９３４８８８号公報
【特許文献２】特開平１１−１３５０９９号公報
【発明の概要】
【発明が解決しようとする課題】
【００１４】
しかしながら、特許文献１のようにセパレータのＭＤが一致したセパレータ袋で積層された電池素子をもつ電池は、図４（ｂ）のようにＭＤとＴＤが一定方向にまとまっているため、外部からＴＤの破断方向（ＭＤと並行方向）と一致している物理的な力が加わり電池が変形した場合、セパレータが破膜することにより正負極間が短絡する可能性は否めない。
【００１５】
セパレータが破膜する対策として、セパレータ自体の破断強度を高める方法がある。その一例として特許文献２では、２枚のセパレータを貼りあわせて１枚のセパレータにして強度を増す方法が公開されている。とくにＭＤを８０〜１００度で交差させて積層接着し１枚のセパレータにする方法が良いとされているが、この方法は、積層接着する際にセパレータの機能である微多孔性が損なわれる恐れがある。
【００１６】
また、安全性の観点から言って、構成部品同士による危険性の回避だけでなく、外力に対しても有効な、より信頼性の高い積層型二次電池を提供するためには更なる改善が求められている。
【００１７】
すなわち、本発明の技術的課題は、特定の方向の応力が外部から加わってもセパレータが破膜せず、正極負極間での短絡が生じることのない安全性に優れた積層型二次電池を提供することにある。
【課題を解決するための手段】
【００１８】
本発明の積層型二次電池は、正極電極シートと負極電極シートを、セパレータを介して積層する積層型二次電池であって、少なくとも１組の隣接する前記セパレータは、一方の前記セパレータの前記マシンダイレクションに対する他方の前記セパレータの前記マシンダイレクションの交差角度が４５度以上、１３５度以下であることを特徴とする。
【００１９】
本発明の積層型二次電池は、隣接する前記セパレータの前記交差角度がそれぞれ異なることを特徴とする。
【００２０】
本発明の積層型二次電池は、隣接する前記セパレータの前記交差角度が９０度であることを特徴とする。
【００２１】
本発明の積層型二次電池は、正極電極シートと負極電極シートを、２枚のセパレータを介して積層する積層型二次電池であって、少なくとも１組の前記２枚の前記セパレータは、一方の前記セパレータの前記マシンダイレクションに対する他方の前記セパレータの前記マシンダイレクションの交差角度が４５度以上、１３５度以下であることを特徴とする。
【００２２】
本発明の積層型二次電池は、前記２枚の前記セパレータを複数備え、前記２枚の前記セパレータの前記交差角度がそれぞれ異なることを特徴とする。
【００２３】
本発明の積層型二次電池は、２枚の前記セパレータの前記マシンダイレクションの前記交差角度がすべて９０度であることを特徴とする。
【００２４】
本発明の積層型二次電池は、正極電極シートと負極電極シートと２枚のセパレータの周縁部を接合した袋状セパレータを備える積層型二次電池であって、前記２枚の前記セパレータは、一方の前記セパレータの前記マシンダイレクションに対する他方の前記セパレータの前記マシンダイレクションの交差角度が４５度以上、１３５度以下である前記袋状セパレータを少なくとも一つ備え、前記袋状セパレータの内部には前記正極電極シートまたは前記負極電極シートのいずれかを配設するとともに、前記正極電極シートと前記負極電極シートを交互に積層することを特徴とする。
【００２５】
本発明の積層型二次電池は、前記交差角度が０度で接合された前記袋状セパレータと、前記交差角度が４５度以上、１３５度以下で接合された前記袋状セパレータを、交互に積層することを特徴とする。
【００２６】
本発明の積層型二次電池は、前記袋状セパレータを複数備え、前記交差角度が４５度以上、１３５度以下であり、それぞれの前記袋状セパレータの一方の前記セパレータは、前記マシンダイレクションが同じであることを特徴とする。
【００２７】
本発明の積層型二次電池は、前記袋状セパレータを複数備え、前記袋状セパレータは、前記交差角度が４５度以上、１３５度以下で接合されていて、前記交差角度がそれぞれ異なることを特徴とする。
【発明の効果】
【００２８】
本発明により、特定の方向の応力が外部から加わってもセパレータが破膜せず、正極負極間での短絡が生じることのない安全性に優れた積層型二次電池の提供が可能となる。
【図面の簡単な説明】
【００２９】
【図１】袋状セパレータのＭＤを示す図であり、図１（ａ）は一方のセパレータのＭＤを示す図、図１（ｂ）は他方のセパレータのＭＤを示す図。
【図２】本発明の袋状セパレータを示す図であり、図２（ａ）は袋状セパレータの製作方法を示す概念図、図２（ｂ）は製作した袋状セパレータのダイレクションを示す模式図。
【図３】おもりを落下させる衝突試験を示す図。
【図４】従来の袋状セパレータを示す図であり、図４（ａ）は袋状セパレータ製作方法を示す概念図、図４（ｂ）は製作した袋状セパレータのダイレクションを示す模式図。
【図５】積層型二次電池を示す図であり、図５（ａ）は構成を示す斜視図、図５（ｂ）は積層体の内訳を示す斜視図。
【発明を実施するための形態】
【００３０】
本発明の実施の形態を、図面を参照して説明する。
【００３１】
上記の課題を解決するために、本発明では、１枚のセパレータを介して隣接するセパレータのＭＤの交差角度を変える、または２枚のセパレータを介してセパレータのＭＤの交差角度を変える、または２枚のセパレータを貼り合わせて１枚のセパレータにするのではなく、２枚のセパレータのＭＤを揃えずに袋状に加工し、その中に正極電極シートまたは負極電極シートを入れて積層するものである。
【００３２】
正極電極シートまたは負極電極シートの一方は、袋状に加工されたセパレータ内に挿入されているとともに、その袋状に加工された各層のセパレータは破断強度の弱い方向が揃っていないため、積層型二次電池に何らかの原因で外力が加わった場合であっても、内部短絡を防止する積層型二次電池を提供できることを見出した。
【００３３】
セパレータとしては、織布、不織布、多孔膜等を用いることができる。特にポリプロピレン、ポリエチレン系の多孔膜が、薄膜かつ大面積であり、膜強度や膜抵抗の面で好ましく用いられる。
【００３４】
図２は、本発明の袋状セパレータを示す図であり、図２（ａ）は袋状セパレータの製作方法を示す概念図、図２（ｂ）は製作した袋状セパレータのダイレクションを示す模式図である。リール状に巻き取られた２本のセパレータロール２４を、ある角度で交差させて熱融着し袋状に加工する。
【００３５】
交差させる角度については、内部短絡を防止し、衝突試験による電池の凹み量を少なくするうえで４５度以上、１３５度以下であるのが好ましく、７５度以上、１０５度以下であるのが特に好ましい。
【００３６】
袋状セパレータの少なくともひとつはセパレータのＭＤが互いに異なる角度で接合しており、一方のセパレータのＭＤに対する他方のセパレータのＭＤの交差角度が４５度以上、１３５度以下であるのが内部短絡を防止し、衝突試験による電池の凹み量を少なくするうえで好ましい。
【００３７】
ＭＤが同じ角度で接合された袋状セパレータと、ＭＤが互いに異なる角度で接合された袋状セパレータとが、交互に積層しているのが内部短絡を防止し、衝突試験による電池の凹み量を少なくするうえで好ましい。
【００３８】
袋状セパレータは、セパレータのＭＤが互いに異なる角度で接合しているのが内部短絡を防止し、衝突試験による電池の凹み量を少なくするうえで好ましい。
【００３９】
袋状セパレータは、セパレータのＭＤが互いに異なる角度で接合していて、それぞれの袋状セパレータの一方のセパレータは、ＭＤが同じであるのが内部短絡を防止し、衝突試験による電池の凹み量を少なくするうえで好ましい。
【００４０】
袋状セパレータは、セパレータのＭＤが互いに異なる角度で接合されていて、接合する交差角度がそれぞれ異なるのが内部短絡を防止し、衝突試験による電池の凹み量を少なくするうえで好ましい。
【００４１】
袋状セパレータのダイレクションは、ひとつのセパレータのダイレクションを基準として、他のセパレータのダイレクションとの交差角度が他方向であるのが好ましい。セパレータの破断方向がランダムとなるので、どの方向から外力が加わっても破膜しにくくなるからである。
【００４２】
本発明の積層型二次電池は、正極電極シートと負極電極シートを、２枚のセパレータを介して積層する構成でも破膜しにくくなる。２枚のセパレータのＭＤは互いに異なる角度で対向しており、一方のセパレータのＭＤに対する他方のセパレータのＭＤの交差角度が４５度以上、１３５度以下であるのが内部短絡を防止し、衝突試験による電池の凹み量を少なくするうえで好ましい。
【００４３】
２枚のセパレータのＭＤの交差角度は、それぞれ異なることが内部短絡を防止し、衝突試験による電池の凹み量を少なくするうえで好ましい。
【００４４】
２枚のセパレータのＭＤの交差角度は、すべて９０度であるのが内部短絡を防止し、衝突試験による電池の凹み量を少なくするうえで特に好ましい。
【００４５】
本発明の積層型二次電池は、正極電極シートと負極電極シートを、セパレータを介して積層する構成でも破膜しにくくなる。隣接するセパレータのＭＤは互いに異なる角度で配設しており、一方のセパレータのＭＤに対する他方のセパレータのＭＤの交差角度が４５度以上、１３５度以下であるのが内部短絡を防止し、衝突試験による電池の凹み量を少なくするうえで好ましい。
【００４６】
隣接するセパレータのＭＤの交差角度がそれぞれ異なるのが内部短絡を防止し、衝突試験による電池の凹み量を少なくするうえで好ましい。
【００４７】
隣接するセパレータのＭＤの交差角度がすべて９０度であるのが内部短絡を防止し、衝突試験による電池の凹み量を少なくするうえで特に好ましい。
【実施例】
【００４８】
以下に本発明の実施例を詳述する。
【００４９】
（実施例１）
まず初めに、請求項７に関して説明を行う。マンガン酸リチウム（ＬｉＭｎ２Ｏ４）粉末９２重量部、カーボンブラック５重量部、ポリフッ化ビニリデン３重量部からなる混合物を、アルミニウム箔に塗布乾燥してロール掛けを行なって、長さ１０５ｍｍ、幅５５ｍｍの正極を作製した。アルミリードは幅１０ｍｍ、厚さ２００μｍであった。アルミリードを一体に形成した正極を作製した。
【００５０】
また、グラファイト９１重量部、カーボンブラック１重量部、ポリフッ化ビニリデン８重量部からなる混合物を、銅箔上に塗布乾燥してロール掛けを行ない、長さ１０９ｍｍ、幅５９ｍｍの負極を作製した。ニッケルリードは幅１０ｍｍ、厚さ２００μｍであった。ニッケルリードを一体に形成した負極を作製した。
【００５１】
図１は、袋状セパレータのＭＤを示す図であり、図１（ａ）は一方のセパレータのＭＤを示す図、図１（ｂ）は他方のセパレータのＭＤを示す図である。
【００５２】
正極を２枚のセパレータで挟み、アルミリードだけを引き出して周囲を接合し、袋状セパレータ１９を作製した。負極は単独で使用した、すなわち袋状セパレータ１９内に挿入しなかった。
【００５３】
セパレータは、ＴＤ破断強度１６０ｋｇｆ／ｃｍ２、ＭＤ破断強度９００ｋｇｆ／ｃｍ２の、ポリプロピレン／ポリエチレン／ポリプロピレンの三層構造をもつものを使用し、全体寸法は幅５９ｍｍ、高さ１１１ｍｍであった。
【００５４】
袋状セパレータを作製する際の、２枚のセパレータのＭＤ交差角度は、図１に示すとおり全て４５度とした。図１に示す４１は実施例１のセパレータの交差角度で、４５度である。正極電極シートを収納した袋状セパレータ１０枚と、負極電極シートを交互に積層して電極積層体を作製した。
【００５５】
アルミラミネートフィルムに電極積層体を収納し、電解液を含浸させてからアルミラミネートフィルムを密封して積層型二次電池を作製した。得られた積層型二次電池の外形寸法はアルミリード、ニッケルリード部を除いて幅７２ｍｍ、高さ１３０ｍｍ、厚さ５ｍｍであった。
【００５６】
（実施例２）
袋状セパレータを作製する際の、２枚のセパレータのＭＤ交差角度を６０度とした以外は実施例１と同様にして積層型二次電池を作製した。
【００５７】
（実施例３）
袋状セパレータを作製する際の、２枚のセパレータのＭＤ交差角度を７５度とした以外は実施例１と同様にして積層型二次電池を作製した。
【００５８】
（実施例４）
袋状セパレータを作製する際の、２枚のセパレータのＭＤ交差角度を９０度とした以外は実施例１と同様にして積層型二次電池を作製した。
【００５９】
（比較例１）
袋状セパレータを作製する際の、２枚のセパレータのＭＤ交差角度を０度とした以外は実施例１と同様にして積層型二次電池を作製した。
【００６０】
（比較例２）
袋状セパレータを作製する際の、２枚のセパレータのＭＤ交差角度を５度とした以外は実施例１と同様にして積層型二次電池を作製した。
【００６１】
（比較例３）
袋状セパレータを作製する際の、２枚のセパレータのＭＤ交差角度を１５度とした以外は実施例１と同様にして積層型二次電池を作製した。
【００６２】
（比較例４）
袋状セパレータを作製する際の、２枚のセパレータのＭＤ交差角度を３０度とした以外は実施例１と同様にして積層型二次電池を作製した。
【００６３】
（衝突試験）
図３は、おもりを落下させる衝突試験を示す図である。電池３３の上に、直径１５．８ｍｍの金属製の丸棒３２を電池の幅方向と平行に乗せている。この衝突試験は、高さ６１０ｍｍから９．１ｋｇのおもり３１を自由落下させるもので、電池に出来る丸棒による凹み量と、正極と負極間の短絡有無を調査した。
【００６４】
セパレータのＭＤの交差角度に対する電池の凹み量と内部短絡の有無を表１に示す。
【００６５】
【表１】
2011134525.tif 000003
【００６６】
表１から、従来技術を用いた比較例１は明らかに凹み量が大きく、正極と負極間が内部短絡しているのに対して、セパレータのＭＤの交差角度が実施例１の４５度から実施例４の９０度では凹み量も小さく、内部短絡しないことがわかった。
【００６７】
実施例１ではセパレータのＭＤの交差角度が４５度であるが、一方のセパレータをＭＤが水平な方向に配設し、ＭＤと垂直な軸と線対称な角度である交差角度が１３５度の場合についても衝突試験を行った。実施例２〜３、比較例２〜４に関しても同様の試験を行った。
【００６８】
すなわちセパレータのＭＤの交差角度を、実施例１の４５度を１３５度に、実施例２の６０度を１２０度に、実施例３の７５度を１０５度に、比較例２の５度を１７５度に、比較例３の１５度を１６５度に、比較例４の３０度を１５０度に変更して衝突試験を行った。試験後の電池の凹み量と内部短絡の有無は、それぞれ実施例１、実施例２、実施例３、比較例２、比較例３、比較例４と同様の結果となった。
【００６９】
これらの結果から、一方のセパレータのＭＤに対する他方のセパレータのＭＤの角度が４５度以上、１３５度以下であれば、試験後の電池の凹み量が小さく、内部短絡が発生しないことが確認できた。
【００７０】
（実施例５〜８、比較例５〜８）
続いて、請求項４に関して説明を行う。正極電極シートと負極電極シートを、２枚のセパレータを介して積層する積層型二次電池を作製した。袋状セパレータを作製せずに正極電極シートと負極電極シート間にそれぞれ２枚のセパレータを介する以外は実施例１と同様にした。なお、得られた積層型二次電池の外形寸法はアルミリード、ニッケルリード部を除いて幅７２ｍｍ、高さ１３０ｍｍ、厚さ５．５ｍｍであった。この２枚のセパレータは、溶接等の接合は行っておらず、互いに隣接して配設した。２枚のセパレータのＭＤの交差角度をすべて４５度、６０度、７５度、９０度、０度、５度、１５度、３０度とした積層型二次電池を、それぞれ作製して、実施例５、実施例６、実施例７、実施例８、比較例５、比較例６、比較例７、比較例８とした。それぞれの積層型二次電池について衝突試験を行った。
【００７１】
２枚のセパレータのＭＤの交差角度に対する電池の凹み量と内部短絡の有無を表２に示す。
【００７２】
【表２】
2011134525.tif 000004
【００７３】
２枚のセパレータのＭＤの交差角度を、実施例５の４５度を１３５度に、実施例６の６０度を１２０度に、実施例７の７５度を１０５度に、比較例６の５度を１７５度に、比較例７の１５度を１６５度に、比較例８の３０度を１５０度に変更して衝突試験を行った。試験後の電池の凹み量と内部短絡の有無は、それぞれ実施例５、実施例６、実施例７、比較例６、比較例７、比較例８と同様の結果となった。
【００７４】
これらの結果から、正極電極シートと負極電極シートを介する２枚のセパレータのＭＤの角度が４５度以上、１３５度以下であれば、試験後の電池の凹み量が小さく、内部短絡が発生しないことが確認できた。
【００７５】
（実施例９〜１２、比較例９〜１２）
さらに、請求項１に関して説明を行う。正極電極シートと負極電極シートを、１枚のセパレータを介して積層する積層型二次電池を作製した。袋状セパレータを作製せずに正極電極シートと負極電極シート間にそれぞれ１枚のセパレータを介する以外は実施例１と同様にした。なお、得られた積層型二次電池の外形寸法はアルミリード、ニッケルリード部を除いて幅７２ｍｍ、高さ１３０ｍｍ、厚さ５ｍｍであった。隣接するセパレータのＭＤの交差角度をすべて４５度、６０度、７５度、９０度、０度、５度、１５度、３０度とした積層型二次電池を、それぞれ作製して、実施例９、実施例１０、実施例１１、実施例１２、比較例９、比較例１０、比較例１１、比較例１２とした。それぞれの積層型二次電池について衝突試験を行った。
【００７６】
隣接するセパレータのＭＤの交差角度に対する電池の凹み量と内部短絡の有無を表３に示す。
【００７７】
【表３】
2011134525.tif 000005
【００７８】
隣接するセパレータのＭＤの交差角度を、実施例９の４５度を１３５度に、実施例１０の６０度を１２０度に、実施例１１の７５度を１０５度に、比較例１０の５度を１７５度に、比較例１１の１５度を１６５度に、比較例１２の３０度を１５０度に変更して衝突試験を行った。試験後の電池の凹み量と内部短絡の有無は、それぞれ実施例９、実施例１０、実施例１１、比較例１０、比較例１１、比較例１２と同様の結果となった。
【００７９】
これらの結果から、隣接するセパレータのＭＤの交差角度が４５度以上、１３５度以下であれば、試験後の電池の凹み量が小さく、内部短絡が発生しないことが確認できた。
【００８０】
これより、特定の方向の応力が外部から加わってもセパレータが破膜せず、正極負極間での短絡の生じることのない安全性に優れた積層型二次電池の提供が可能であることが確認できた。
【００８１】
以上、実施例を用いて、この発明の実施の形態を説明したが、この発明は、これらの実施例に限られるものではなく、この発明の要旨を逸脱しない範囲の設計変更があっても本発明に含まれる。すなわち、当業者であれば、当然なしえるであろう各種変形、修正もまた本発明に含まれる。
【符号の説明】
【００８２】
１１              アルミラミネートフィルム
１２              電解液
１３              正極電極シート
１４              負極電極シート
１５              セパレータ
１６              アルミリード
１７              ニッケルリード
１８              積層体
１９              袋状セパレータ
２１、２４        セパレータロール
２２、２５        電極シート
２３、２６、３３  電池
３１              おもり
３２              丸棒
４１              実施例１のセパレータのＭＤの交差角度
４２              実施例２のセパレータのＭＤの交差角度
４３              実施例３のセパレータのＭＤの交差角度
４４              実施例４のセパレータのＭＤの交差角度
５１              比較例１のセパレータのＭＤの交差角度
５２              比較例２のセパレータのＭＤの交差角度
５３              比較例３のセパレータのＭＤの交差角度
５４              比較例４のセパレータのＭＤの交差角度
【図１】
2011134525.tif 000006
【図２】
2011134525.tif 000007
【図３】
2011134525.tif 000008
【図４】
2011134525.tif 000009
【図５】
2011134525.tif 000010